(57)【要約】【課題】  落下等によりケースに衝撃を受けてもリーダーブロックが外れる心配のない記録テープカートリッジの提供を課題とする。【解決手段】  記録テープＴが巻装された単一のリール１８を回転可能に収容するケース１２と、ケース１２の周壁１２Ａに形成された記録テープＴ引出用の開口２０と、記録テープＴの端部に固着され、ドライブ装置側の引出手段に引き出されるとともに、開口２０を閉塞可能なリーダーブロック３０と、を備えた記録テープカートリッジ１０において、開口２０を閉塞したリーダーブロック３０の少なくとも一部をカバーするカバー部材６０を、周壁１２Ａに沿ってスライド可能に設ける。【選択図】      図７
2005071459.tif 000002
【特許請求の範囲】
【請求項１】
記録テープが巻装された単一のリールを回転可能に収容するケースと、
前記ケースの周壁に形成された前記記録テープ引出用の開口と、
前記記録テープの端部に固着され、ドライブ装置側の引出手段に引き出されるとともに、前記開口を閉塞可能なリーダーブロックと、
を備えた記録テープカートリッジにおいて、
前記開口を閉塞したリーダーブロックの少なくとも一部をカバーするカバー部材を、前記周壁に沿ってスライド可能に設けたことを特徴とする記録テープカートリッジ。
【請求項２】
前記カバー部材は、ドライブ装置への装填に伴って、前記リーダーブロックを解放する方向へスライドするように構成したことを特徴とする請求項１に記載の記録テープカートリッジ。
【請求項３】
前記カバー部材は、前記リーダーブロックをカバーする方向へ付勢されていることを特徴とする請求項１又は２に記載の記録テープカートリッジ。
【請求項４】
前記カバー部材は、前記ケースの高さ方向と直交する方向にスライドすることを特徴とする請求項１乃至３の何れかに記載の記録テープカートリッジ。
【請求項５】
前記カバー部材は、前記ケースの高さ方向にスライドすることを特徴とする請求項１乃至３の何れかに記載の記録テープカートリッジ。
【請求項６】
記録テープが巻装された単一のリールを回転可能に収容するケースと、
前記ケースの周壁に形成された前記記録テープ引出用の開口と、
前記記録テープの端部が固着部に固着され、係合部がドライブ装置側の引出手段に引き出されるとともに、前記開口を閉塞可能なリーダーブロックと、
を備えた記録テープカートリッジにおいて、
前記開口を閉塞したリーダーブロックの係合部に当接する当接部材を、前記周壁に沿ってスライド可能に設けたことを特徴とする記録テープカートリッジ。
【請求項７】
前記当接部材は、ドライブ装置への装填に伴って、前記係合部から離間する方向へスライドするように構成したことを特徴とする請求項６に記載の記録テープカートリッジ。
【請求項８】
前記当接部材は、前記係合部に当接する方向へ付勢されていることを特徴とする請求項６又は７に記載の記録テープカートリッジ。
【請求項９】
前記当接部材は、前記ケースの高さ方向と直交する方向にスライドすることを特徴とする請求項６乃至８の何れかに記載の記録テープカートリッジ。
【発明の詳細な説明】
【技術分野】
【０００１】
本発明は、主にコンピューター等の記録再生媒体として使用される磁気テープ等の記録テープが巻装された単一のリールをケース内に収容してなる記録テープカートリッジに関する。
【背景技術】
【０００２】
従来から、コンピューター等のデータ記録再生媒体として使用されている記録テープとしての磁気テープを単一のリールに巻装し、そのリールを合成樹脂製のケース内に収容してなる記録テープカートリッジ（磁気テープカートリッジ）が知られている。この磁気テープの先端（自由端）には、リーダーピンやリーダーテープ、リーダーブロックといったリーダー部材が固着されており、そのリーダー部材をドライブ装置側に設けられた引出手段が記録テープカートリッジの開口から引き出し、それに固着された磁気テープをドライブ装置側の巻取リールに巻装させるようになっている。
【０００３】
また、記録テープカートリッジの下面には円形状の開口が穿設されており、その開口から露出しているリールの下面中央にはリールギアが環状に刻設されている。そして、ドライブ装置側の回転シャフトに設けられた駆動ギアがそのリールギアに噛合することにより、リールが回転駆動するように構成されている。したがって、記録テープカートリッジのリール及びドライブ装置側の巻取リールを同期して回転させることにより、磁気テープにデータを記録したり、磁気テープに記録されたデータの再生ができる。
【０００４】
このような構成の記録テープカートリッジにおいて、リーダー部材は、磁気テープを牽引した状態でドライブ装置側の巻取リールに連結される連結部材であるが、そのタイプ毎に、ケースに形成される開口位置やその開口を開閉するドア等のタイプが異なっている。例えばリーダーブロックの場合は、記録テープカートリッジ（ケース）のドライブ装置への装填方向側のコーナー部に開口が形成され、その開口を閉塞するようにリーダーブロックが係止されている。つまり、リーダーブロックが開口を閉塞するドアの役割を兼ねるように構成されている。
【０００５】
このようなリーダーブロックは剛体で構成されているため、テープ状であるリーダーテープに比べて、ドライブ装置側の引出手段との係合動作が簡単に行え、かつ、その係合部に摩耗・折損が起こりにくい利点がある。また、ケースのコーナー部に開口があると、リーダーブロックの引き出し角度をドライブ装置側で自由に設計できる利点がある。例えば、リーダーブロックを巻取リールに対して最短距離で引き出せるように設計することができ、磁気テープの引き出し動作を短時間で完了させるように設計することができる。
【０００６】
しかしながら、リーダーブロックが記録テープカートリッジ（ケース）のコーナー部に係止されていると、不使用時（ドライブ装置に装填しないとき）において、落下等によりそのコーナー部に衝撃が加わった場合には、ケースが撓み変形して、リーダーブロックがそのコーナー部から外れやすいという問題があった。
【０００７】
落下等によりリーダーブロックがケースから外れて飛び出すおそれがあると、ユーザーには、記録テープカートリッジそのものの機能に影響を与えるかもしれないという不安を抱かせるとともに、人手で修復してもドライブ装置で動作するのか、否かという不安を抱かせる結果になってしまう。しかも、実際に落下させてしまったときに、リーダーブロックがケースから外れて、磁気テープに皺が発生したこともあった。更に、不用意にリーダーブロックが外れてしまうと、リーダーブロックそのものがドアの役目をしているため、記録テープカートリッジにおいて、防塵性が欠落してしまうという問題もあった。
【０００８】
そのため、従来では、例えば、そのコーナー部を敢えて撓み変形しやすい形状に成形して、落下等による衝撃をそれによって緩和し、リーダーブロックへの影響を最小限に食い止めるようにすることが考えられた。しかしながら、このような構成だけではリーダーブロックの外れ防止対策として不充分であった。
【０００９】
そこで、例えば図１８で示すように、記録テープカートリッジ１１０の開口１１４付近のケース１１２内面に、所定間隔を隔てて一対の支持部材１１６を立設し、その一対の支持部材１１６に、一端に形成された軸部１２２が回動可能に横架され、他端に形成された突起１２４がリーダーブロック１３０の磁気テープが取り付けられる固着部１３０Ｂ側に形成された係合溝１２８と係合する平板状の係合部材１２０を設けることが考えられた（例えば、特許文献１参照）。
【００１０】
この係合部材１２０は、記録テープカートリッジ１１０の不使用時には、図１８（Ａ）で示すように、突起１２４がリーダーブロック１３０の係合溝１２８に係合して、リーダーブロック１３０がケース１１２から外れるのを防止する。そして、記録テープカートリッジ１１０の使用時には、図１８（Ｂ）で示すように、ケース１１２に穿設された開口１１８から挿入された解除部材１２６によって突起１２４を含む上記他端が突き上げられ、軸部１２２を中心に上方に回動することによって、その突起１２４が係合溝１２８から外れる。これにより、リーダーブロック１３０が取り出し可能となる。
【特許文献１】米国特許第５２３２１８０号明細書
【発明の開示】
【発明が解決しようとする課題】
【００１１】
しかしながら、この係合部材１２０は、ケース１１２内面に所定間隔を隔てて立設された一対の支持部材１１６に軸部１２２が横架され、その軸部１２２を中心に上方に回動して係合溝１２８から外れる構成であるため、開口１１４付近にその設置スペースが多く必要とされる問題がある。つまり、図１９（Ａ）で示すように、一対の支持部材１１６を、所定間隔を隔てて立設するため、ケース１１２の幅方向（ケース１１２の高さ方向と直交する方向）にスペースが必要であり、かつ図１９（Ｂ）で示すように、その解除ストロークはリーダーブロック１３０の高さ以上となるため、ケース１１２の高さ方向にもスペースが必要となる。このように、開口１１４付近に多くの設置スペースが必要になると、記録テープカートリッジ１１０が大型化してしまう不具合が生じる。
【００１２】
そこで、本発明は、大型化されるような不具合がなく、落下等によりケースに衝撃を受けてもリーダーブロックが外れる心配のない記録テープカートリッジを得ることを目的とする。
【課題を解決するための手段】
【００１３】
上記の目的を達成するために、本発明に係る請求項１に記載の記録テープカートリッジは、記録テープが巻装された単一のリールを回転可能に収容するケースと、前記ケースの周壁に形成された前記記録テープ引出用の開口と、前記記録テープの端部に固着され、ドライブ装置側の引出手段に引き出されるとともに、前記開口を閉塞可能なリーダーブロックと、を備えた記録テープカートリッジにおいて、前記開口を閉塞したリーダーブロックの少なくとも一部をカバーするカバー部材を、前記周壁に沿ってスライド可能に設けたことを特徴としている。
【００１４】
請求項１の発明では、記録テープカートリッジに、開口を閉塞したリーダーブロックの少なくとも一部をカバーするカバー部材を設けたので、不使用時において、記録テープカートリッジを、例えばコーナー部から落下させたとしても、リーダーブロックは、そのカバー部材によって押さえられる。したがって、リーダーブロックがケースから外れる心配はない。また、そのカバー部材は周壁に沿ってスライドするので、ケース内において、その設置スペースが多くとられることもない。したがって、記録テープカートリッジが大型化される不具合もない。
【００１５】
また、請求項２に記載の記録テープカートリッジは、請求項１に記載の記録テープカートリッジにおいて、前記カバー部材が、ドライブ装置への装填に伴って、前記リーダーブロックを解放する方向へスライドするように構成したことを特徴としている。
【００１６】
請求項２の発明では、カバー部材が、ドライブ装置への装填に伴って、リーダーブロックを解放する方向へスライドするように構成したので、ユーザーがドライブ装置に装填する度にカバー部材をスライドさせる必要がない。したがって、このようなカバー部材が設けられても、記録テープカートリッジの取り扱い性が損なわれることはない。
【００１７】
また、請求項３に記載の記録テープカートリッジは、請求項１又は２に記載の記録テープカートリッジにおいて、前記カバー部材が、前記リーダーブロックをカバーする方向へ付勢されていることを特徴としている。
【００１８】
請求項３の発明では、カバー部材がリーダーブロックをカバーする方向へ付勢されているので、不使用時においては、自動的にそのカバー部材がリーダーブロックをカバーする。したがって、記録テープカートリッジを、例えばコーナー部から落下させたとしても、リーダーブロックは、常にそのカバー部材によって押さえられているので、ケースから外れる心配はない。
【００１９】
また、請求項４に記載の記録テープカートリッジは、請求項１乃至３の何れかに記載の記録テープカートリッジにおいて、前記カバー部材が、前記ケースの高さ方向と直交する方向にスライドすることを特徴としている。
【００２０】
請求項４の発明では、カバー部材が、ケースの高さ方向と直交する方向にスライドするので、ケース内におけるデッドスペースを有効利用することができる。
【００２１】
また、請求項５に記載の記録テープカートリッジは、請求項１乃至３の何れかに記載の記録テープカートリッジにおいて、前記カバー部材が、前記ケースの高さ方向にスライドすることを特徴としている。
【００２２】
請求項５の発明では、カバー部材が、ケースの高さ方向にスライドするので、ケース内におけるデッドスペースを有効利用することができるとともに、その設置スペースを低減することができる。
【００２３】
また、請求項６に記載の記録テープカートリッジは、記録テープが巻装された単一のリールを回転可能に収容するケースと、前記ケースの周壁に形成された前記記録テープ引出用の開口と、前記記録テープの端部が固着部に固着され、係合部がドライブ装置側の引出手段に引き出されるとともに、前記開口を閉塞可能なリーダーブロックと、を備えた記録テープカートリッジにおいて、前記開口を閉塞したリーダーブロックの係合部に当接する当接部材を、前記周壁に沿ってスライド可能に設けたことを特徴としている。
【００２４】
請求項６の発明では、記録テープカートリッジに、開口を閉塞したリーダーブロックの係合部に当接する当接部材を設けたので、不使用時において、記録テープカートリッジを、例えばコーナー部から落下させたとしても、リーダーブロックは、その当接部材によって押さえられる。したがって、リーダーブロックがケースから外れる心配はない。また、その当接部材は周壁に沿ってスライドするので、ケース内において、その設置スペースが多くとられることもない。したがって、記録テープカートリッジが大型化される不具合もない。
【００２５】
また、請求項７に記載の記録テープカートリッジは、請求項６に記載の記録テープカートリッジにおいて、前記当接部材が、ドライブ装置への装填に伴って、前記係合部から離間する方向へスライドするように構成したことを特徴としている。
【００２６】
請求項７の発明では、当接部材が、ドライブ装置への装填に伴って、係合部から離間する方向へスライドするように構成したので、ユーザーがドライブ装置に装填する度に当接部材をスライドさせる必要がない。したがって、このような当接部材が設けられても、記録テープカートリッジの取り扱い性が損なわれることはない。
【００２７】
また、請求項８に記載の記録テープカートリッジは、請求項６又は７に記載の記録テープカートリッジにおいて、前記当接部材が、前記係合部に当接する方向へ付勢されていることを特徴としている。
【００２８】
請求項８の発明では、当接部材が、係合部に当接する方向へ付勢されているので、不使用時においては、自動的にその当接部材がリーダーブロックに当接する。したがって、記録テープカートリッジを、例えばコーナー部から落下させたとしても、リーダーブロックは、常にその当接部材によって押さえられているので、ケースから外れる心配はない。
【００２９】
また、請求項９に記載の記録テープカートリッジは、請求項６乃至８の何れかに記載の記録テープカートリッジにおいて、前記当接部材が、前記ケースの高さ方向と直交する方向にスライドすることを特徴としている。
【００３０】
請求項９の発明では、当接部材が、ケースの高さ方向と直交する方向にスライドするので、ケース内におけるデッドスペースを有効利用することができる。
【発明の効果】
【００３１】
以上、何れにしても本発明によれば、落下等により衝撃が加えられても、リーダーブロックが記録テープカートリッジ（ケース）から脱落してしまうおそれはない。
【発明を実施するための最良の形態】
【００３２】
以下、本発明の実施の形態を図面に示す実施例を基に詳細に説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向（右側）とする。
【実施例１】
【００３３】
まず、最初に第１実施例を説明する。図１、図２で示すように、記録テープカートリッジ１０は、合成樹脂製のケース１２を備えている。ケース１２は、上ケース１４と下ケース１６とを接合して構成されている。具体的には、上ケース１４は、平面視略矩形状の天板１４Ａの外縁に沿って略枠状の周壁１４Ｂが立設されて構成されており、下ケース１６は、天板１４Ａに略対応した形状の底板１６Ａの外縁に沿って周壁１６Ｂが立設されて構成されている。
【００３４】
そして、ケース１２は、周壁１４Ｂの開口端と周壁１６Ｂの開口端とを突き当てた状態で、ビス止めによって上ケース１４と下ケース１６とが接合されて、略矩形箱状に形成されている。なお、このときのビスボス１５（図５乃至図７参照）は少なくとも各コーナー部に設けることが好ましい。このような構成にすれば、各コーナー部を強固に接合することができる。なお、上ケース１４と下ケース１６とを接合する手段はビス止めに限定されるものではなく、超音波溶着等によって接合してもよい。
【００３５】
また、このケース１２には、ドライブ装置への装填方向側の周壁（以下、前壁という）１２Ａの所定位置、即ちその前壁１２Ａにおける右コーナー部から、少なくともケース１２の板厚以上、左コーナー部へ離間された位置に、後述するリール１８に巻装された磁気テープＴを外部に引き出すための開口２０が形成されている。このように、開口２０がコーナー部を除いた周壁（前壁１２Ａ）に形成されると、後述するリーダーブロック３０がコーナー部から離間された位置に配置されるので、記録テープカートリッジ１０をコーナー部から落下させたとしても、リーダーブロック３０がケース１２から外れにくくなる。
【００３６】
また、底板１６Ａの略中央部には、底板１６Ａを貫通する円形状のギア開口２２が設けられており、リール１８に形成されたリールギア２８の露出用とされている。なお、底板１６Ａにおけるギア開口２２の周縁部には、環状リブ（図示省略）がケース１２の内方へ向けて突設されており、不使用時において、リールギア２８の外周側がその環状リブ上に載置されることにより、下ケース１６に対してリール１８が位置決めされるようになっている。
【００３７】
また、ケース１２の底板１６Ａの外面における前端近傍には、一対の位置決め穴２４、２６が開口している。この一対の位置決め穴２４、２６は、底板１６Ａからケース１２内方に立設された突部（図示省略）内に袋状に設けられ、上記装填方向に直交する仮想線上で互いに離間して配置されている。そして、開口２０に近い側の位置決め穴２４は、ドライブ装置側の位置決めピン（図示省略）に外接する底面視略正方形状とされ、位置決め穴２６は、上記仮想線に沿って長手で、かつ幅がドライブ装置側の位置決めピン（図示省略）の直径に対応する長穴とされている。したがって、記録テープカートリッジ１０がドライブ装置に装填されて位置決め穴２４、２６にそれぞれ位置決めピンが挿入されると、ドライブ装置内で水平方向（左右及び前後）に正確に位置決めされる構成である。
【００３８】
更に、底板１６Ａにおける位置決め穴２４、２６廻りは、他の部分（意匠面）よりも平滑に仕上げられた基準面２４Ａ、２６Ａとされている。基準面２４Ａ、２６Ａは、位置決め穴２４、２６に位置決めピンが挿入されたときに、位置決めピン廻りに設けられたドライブ装置側の位置決め面（図示省略）に当接するようになっている。これにより、記録テープカートリッジ１０のドライブ装置内における鉛直方向の位置決めがなされる構成である。なお、位置決め穴２４、２６は図示の位置に限定されるものではなく、どちらか一方が後側に設けられていてもよい。つまり、底板１６Ａにおける略対角線上（対角線近傍）に設けられていてもよい。
【００３９】
以上、説明したケース１２内には、リール１８が１つだけ回転可能に収容される。このリール１８には、記録テープとしての磁気テープＴが巻装されており、リール１８の下面にはリールギア２８が環状に形成されている。このリールギア２８は、ドライブ装置側の回転シャフト（図示省略）の先端に設けられた駆動ギア（図示省略）と噛合可能とされている。また、リールギア２８の内側には、磁性材料で構成された環状板であるリールプレート２９がインサート成形等により同軸的かつ一体的に固着されている。
【００４０】
また、磁気テープＴの先端には、磁気テープＴ引出用としてのリーダーブロック３０が取り付けられている。すなわち、リーダーブロック３０の左側面３０Ｌから後端３０Ｂにかけて、平面視略矩形状の嵌合凹部（図示省略）が形成されており、この嵌合凹部に略矩形状の嵌合部材３２（図７参照）が、磁気テープＴの先端部分を挟み込みながら嵌合することによって、磁気テープＴの先端にリーダーブロック３０が固着されるようになっている。
【００４１】
このリーダーブロック３０の後端３０Ｂは、ドライブ装置側の巻取リール（図示省略）に嵌入されたときに、磁気テープＴが巻回される巻取面の一部を構成する円弧面とされており、磁気テープＴはその後端３０Ｂの略中央に取り付けられている。また、リーダーブロック３０の前端３０Ａは、例えば平面視略円弧状に形成され（図示の形状に限定されない）、その前端３０Ａ近傍には、ドライブ装置側の引出手段を構成する引出部材（図示省略）が係合する係合凹部３４が形成されている。この係合凹部３４は、平面視で略半円状をなす曲面と、それに連続する直線とで構成されている。
【００４２】
また、上ケース１４の天板１４Ａ内面と下ケース１６の底板１６Ａ内面には、開口２０の左辺縁部から連設される嵌合壁４２、４４が周壁１４Ｂ、１６Ｂと同じ高さに立設されており、その嵌合壁４２、４４には、リーダーブロック３０の前端３０Ａの外形状に合致する凹部４０が形成されている。そして、その嵌合壁４２、４４から右側の周壁（以下、右壁という）１２Ｂに向かって、ドライブ装置への装填方向（右壁１２Ｂ）に対し、平面視で所定角度β傾斜した係合リブ４６、４８（図７では係合リブ４８のみ示されている）が、磁気テープＴに干渉しない程度の高さに立設されている。
【００４３】
また、その係合リブ４６、４８の右壁１２Ｂとの連設部近傍には、磁気テープＴに干渉しない程度の高さに立設された嵌合リブ４６Ａ、４８Ａ（図５乃至図７では嵌合リブ４８Ａのみ示されている）が、係合リブ４６、４８と略直交するように一体に連設されており、この嵌合リブ４６Ａ、４８Ａの前壁１２Ａと対向する面側には、リーダーブロック３０の後端３０Ｂの外形状に合致する円弧面が形成されている。
【００４４】
また、前壁１２Ａの内側には、リーダーブロック３０の少なくとも前端３０Ａを接触状態又は非接触状態でカバーするカバー部材６０が設けられている。このカバー部材６０は、図３乃至図７で示すように、前壁１２Ａに沿って左右方向（ケース１２の幅方向）にスライド可能に構成されるとともに、トーションばね、板ばね、コイルばね等の付勢部材５０によって、前端３０Ａを常時カバーする方向（この場合は右方向）へ付勢されている。
【００４５】
したがって、リーダーブロック３０は、記録テープカートリッジ１０の不使用時には、右側面３０Ｒが外方に面した状態で、前端３０Ａが嵌合壁４２、４４の凹部４０に嵌合され、突条部３６、３８を含む左側面３０Ｌの上下両端部（嵌合部材３２よりも上下方向外側）が係合リブ４６、４８に当接し、後端３０Ｂが嵌合リブ４６Ａ、４８Ａに嵌合されるとともに、前端３０Ａがカバー部材６０によってカバーされて、ケース１２内に保持される。
【００４６】
すなわち、リーダーブロック３０は、図７で示すように、平面視で、その長手方向の中心線、即ち前端３０Ａの幅方向の中心（平面視略半円状をなす係合凹部３４の中心）と後端３０Ｂの幅方向の中心（磁気テープＴの先端が入り込んでいる部位）とを結ぶ仮想線Ｋが、前壁１２Ａに対して所定角度α（０°＜α＜９０°、α＝９０°−β）傾斜した状態になるように、ケース１２の開口２０の内側に収容保持される。そして、この状態で、開口２０がリーダーブロック３０によって閉塞され、ケース１２内への塵埃等の侵入が防止されている。
【００４７】
このように、リーダーブロック３０が前壁１２Ａに対して斜めに配置されると、リーダーブロック３０をドライブ装置側の巻取リールに対して最短距離で引き出すことができ、磁気テープＴの引き出し動作を短時間で完了させることができるので好ましいが、リーダーブロック３０は、このような配置に限定されるものではなく、前壁１２Ａに対して平行に配置されてもよいし、直交するように（右壁１２Ｂと平行になるように）配置されてもよい。
【００４８】
また、開口２０の上下辺縁部、即ち開口２０を構成する上ケース１４の天板１４Ａと下ケース１６の底板１６Ａには、平面視で係合凹部３４よりも拡開した切欠部５６、５８が、リーダーブロック３０が開口２０を閉塞したときに、その係合凹部３４と対応する位置に、それぞれ形成されている。したがって、リーダーブロック３０を引き出す際、ドライブ装置側の引出部材は、その切欠部５６、５８によって係合凹部３４と容易に係合することができる。
【００４９】
ここで、更にカバー部材６０について詳細に説明する。図３、図４で示すように、このカバー部材６０は、所定長さ及び所定厚さの板片状に形成され、その高さは前壁１２Ａの内側の高さよりも若干低く形成されている。また、カバー部材６０の略中央より右側は薄板状とされ、その先端（右端）で、かつケース１２の内方側にはテーパー面６２が形成されており、リーダーブロック３０をカバーするとき（右方向へスライドするとき）に、その前端３０Ａと干渉しないようになっている。
【００５０】
また、カバー部材６０の略中央より左側の側端面には、コイルばね等の付勢部材５０の一端が取り付けられている。そして、その付勢部材５０の他端は、下ケース１６（上ケース１４でもよい）に立設されたリブ５４（図５乃至図７参照）に取り付けられており、カバー部材６０は、常時付勢部材５０によって前端３０Ａをカバーする方向、即ち右方向へ付勢されている。なお、リブ５４はリール１８の遊動を規制する遊動規制壁５２と周壁１４Ｂ、１６Ｂとを連設しており、これによって、上ケース１４及び下ケース１６の強度が向上されるようになっている。
【００５１】
また、嵌合壁４２、４４の前壁１２Ａと対向する面が、カバー部材６０をガイドするガイド面４２Ａ、４４Ａとされており、そのガイド面４２Ａ、４４Ａの左側端部には、左方向に突出するストッパーリブ６４（図７参照）が一体に突設されている。したがって、カバー部材６０は、このストッパーリブ６４に、その略中央の段部６０Ｂが当接することにより、右方向へのスライドが規制される。また、カバー部材６０の略中央より左側の下面には、左下がり（右上がり）の傾斜面とされたカム面６６が形成されており、下ケース１６の底板１６Ａには、カバー部材６０が最右側にあるときに、そのカム面６６の左端部が臨む開口１７が穿設されている。
【００５２】
以上により、カバー部材６０は、記録テープカートリッジ１０の不使用時において、常時付勢部材５０により右方向へ付勢されて、リーダーブロック３０の少なくとも一部、例えば前端３０Ａをカバーするとともに、開口２０を狭めている。したがって、リーダーブロック３０は、記録テープカートリッジ１０の落下等によってケース１２に衝撃が加えられたとしても、そのケース１２からの飛び出し（外れ）が防止される。
【００５３】
また、記録テープカートリッジ１０がドライブ装置に装填されたときには（記録テープカートリッジ１０の使用時には）、下ケース１６の底板１６Ａに穿設された開口１７からドライブ装置側に設けられた解除部材１００が挿入され、カバー部材６０のカム面６６の左端部が押圧される。すると、そのカム面６６は左下がり（右上がり）の傾斜面であるため、解除部材１００はそのカム面６６に沿って相対的に右方向に摺動する。つまり、カバー部材６０が付勢部材５０の付勢力に抗して左方向にスライドする。
【００５４】
これにより、リーダーブロック３０の前端３０Ａが解放され（開口２０が全開され）、ケース１２内からリーダーブロック３０が取り出し可能となる。なお、解除部材１００がカム面６６を押圧する解除力は、０．５Ｎ〜５Ｎ程度である。また、このカバー部材６０をスライドさせる手段は、下ケース１６の底板１６Ａに穿設された開口１７と、その開口１７に挿入される解除部材１００とに限定されるものではなく、図５乃至図７で示すように、前壁１２Ａに穿設された開口１９と、その開口１９に挿入される解除部材１００とで構成してもよい。
【００５５】
すなわち、カバー部材６０の前壁１２Ａに対面する前面６０Ａの所定位置に凹部６８を形成し、その凹部６８内に平断面視で左側が所定角度の傾斜面とされたカム面６８Ａを形成してもよい。このような構成にすれば、図７で示すように、ドライブ装置側の解除部材１００がカム面６８Ａを押圧することにより、カバー部材６０を付勢部材５０の付勢力に抗して左方向へスライドさせることが可能となる。なお、カバー部材６０の形状、開口１７、１９の形状、解除部材１００の形状等が図示のものに限定されないことは言うまでもない。
【００５６】
以上のような構成の記録テープカートリッジ１０において、次にその作用について説明する。この記録テープカートリッジ１０は、不使用時（ドライブ装置に装填されない保管時や運搬時等）においては、開口２０がリーダーブロック３０によって閉塞されている。そして、そのリーダーブロック３０は付勢部材５０によって右方向へ付勢されたカバー部材６０により、その前端３０Ａがカバーされている。したがって、記録テープカートリッジ１０を誤って落下させたとしても、リーダーブロック３０は開口２０から外れない。
【００５７】
記録テープカートリッジ１０を使用する際には、前壁１２Ａ側を先頭にして、矢印Ａ方向に沿って、ドライブ装置内へ装填する。記録テープカートリッジ１０がドライブ装置内に装填（挿入）されると、記録テープカートリッジ１０が所定高さ下降するか、又はドライブ装置側に設けられた回転シャフト（図示省略）が所定高さ上昇し、位置決め穴２４、２６にドライブ装置側の位置決めピンが挿入されて水平方向（前後・左右方向）の位置が規定され、更にドライブ装置側の位置決め面が基準面２４Ａ、２６Ａに当接して高さ方向の位置が規定される。これにより、記録テープカートリッジ１０がドライブ装置内において精度よく位置決めされる。
【００５８】
また、このとき、開口１７（又は開口１９）からドライブ装置側の解除部材１００が挿入され、カバー部材６０のカム面６６（又はカム面６８Ａ）を押圧する。すると、カバー部材６０は付勢部材５０の付勢力に抗して左方向にスライドし、リーダーブロック３０の前端３０Ａを解放する。このように、記録テープカートリッジ１０のドライブ装置への装填に伴って、カバー部材６０がスライドするので、カバー部材６０が設けられていても、ユーザーの取り扱い性が損なわれることはない。
【００５９】
そして、ドライブ装置側の引出部材（図示省略）が、リーダーブロック３０の係合凹部３４に係合する。このとき、記録テープカートリッジ１０はドライブ装置内において精度よく位置決めされ、かつケース１２には切欠部５６、５８が形成されているので、引出部材は確実かつ容易にリーダーブロック３０の係合凹部３４と係合できる。
【００６０】
その後、その引出部材がドライブ装置側の巻取リール側へ移動することにより、ケース１２内からリーダーブロック３０を引き出す。このとき、リーダーブロック３０は前壁１２Ａに対して所定角度α傾斜した状態で配置されているので、リーダーブロック３０はドライブ装置側の巻取リールに対して最短距離で引き出され、その引き出し動作が短時間で完了する。
【００６１】
記録テープカートリッジ１０から引き出されたリーダーブロック３０は、引出部材に係合された状態のまま巻取リールへ誘導され、その巻取面に形成された嵌入部（図示省略）に収容される。なお、このとき、リーダーブロック３０の円弧面とされた後端３０Ｂが、その巻取面の一部となる構成であり、これによって、ドライブ装置側の巻取リールに磁気テープＴが巻回可能となる。
【００６２】
また、記録テープカートリッジ１０が所定高さ下降するか、又はドライブ装置側の回転シャフトが所定高さ上昇すると、リール１８の軸心部に穿設された貫通孔１８Ａから回転シャフトに設けられた解除部材（図示省略）が挿入され、不用意な回転を阻止していたロック機構が解除されるとともに、回転シャフトに形成されている駆動ギア（図示省略）がリールギア２８と噛合する。
【００６３】
したがって、その駆動ギアを回転駆動してリール１８を巻取リールと同期回転させると、磁気テープＴが、巻取リールに巻き取られつつ記録テープカートリッジ１０内から順次引き出され、所定のテープパス経路に配設された記録再生ヘッドによってデータ（情報）の記録や再生が行われる。なお、このとき、記録テープカートリッジ１０から引き出された磁気テープＴが開口２０の右辺縁部に干渉しないように、ドライブ装置側の適宜位置に、引き出された磁気テープＴを案内するガイドローラー（図示省略）等が配設されることは言うまでもない。
【００６４】
一方、記録テープカートリッジ１０をドライブ装置から排出する際には、まず、磁気テープＴがリール１８に巻き戻され、リーダーブロック３０がケース１２内に戻される。すなわち、リーダーブロック３０の後端３０Ｂが嵌合リブ４６Ａ、４８Ａに当接嵌合されるとともに、左側面３０Ｌの上下両端部が係合リブ４６、４８に当接し、前端３０Ａが嵌合壁４２、４４の凹部４０に嵌合される。
【００６５】
こうして、開口２０がリーダーブロック３０によって閉塞されると、記録テープカートリッジ１０が上昇するか、又は回転シャフトが下降して、駆動ギアとリールギア２８との噛合が解除されるとともに、貫通孔１８Ａから解除部材が抜き出されて、リール１８が不用意に回転しないようにロック機構によってロックされる。
【００６６】
また、開口１７（又は開口１９）からも解除部材１００が抜き出され、それに伴ってカバー部材６０が付勢部材５０の付勢力によって、右方向へスライドする。そして、その略中央に形成された段部６０Ｂがストッパーリブ６４に当接することによって、カバー部材６０の右方向へのスライドが規制され、この状態でリーダーブロック３０の前端３０Ａをカバーする。
【００６７】
なお、カバー部材６０でカバーするリーダーブロック３０の部位は、前端３０Ａのみに限定されるものではなく、例えば係合凹部３４やリーダーブロック３０の約半分位（右側面３０Ｒの略中央付近）まで等でもよく、更にはカバー部材６０で開口２０全体を閉塞するようにしてもよい。つまり、このカバー部材６０は、リーダーブロック３０が開口２０から脱落しない程度に、その開口２０の大きさを狭められるように構成されていればよい。
【００６８】
また、それと同時に、位置決め穴２４、２６から位置決めピンが抜き出され、記録テープカートリッジ１０のドライブ装置に対する位置決め状態が解除される。そして、その後、記録テープカートリッジ１０は、図示しないイジェクト機構によって矢印Ａ方向とは反対方向に移動させられ、ドライブ装置内から排出される。
【００６９】
以上、説明したように、リーダーブロック３０は、不使用時において、カバー部材６０によって、少なくともその一部（例えば、前端３０Ａ）がカバーされる（開口２０の大きさが狭められる）ので、記録テープカートリッジ１０を落下させるなどして、ケース１２に衝撃が加えられても、リーダーブロック３０が開口２０から外れるような不具合は生じない。よって、ユーザーにリーダーブロック３０が不用意に外れる心配を抱かせることがない。
【００７０】
また、カバー部材６０は、前壁１２Ａの内側で、かつ前壁１２Ａに沿って左右方向（ケース１２の幅方向）にスライド可能に設けられているので、ケース１２内において、その設置スペースが多くとられることがなく、ケース１２内のデッドスペースを有効に利用することができる。
【実施例２】
【００７１】
次に、図８乃至図１１で示す第２実施例を説明するが、第１実施例と同等なものは同じ符号を付して、その説明を省略する。また、作用についても、その主な部分は第１実施例と同様なので、その説明を省略する。更に、この第２実施例におけるリーダーブロックは、第１実施例のリーダーブロック３０とは、その形状が若干異なる。したがって、第１実施例のリーダーブロック３０とは区別して、リーダーブロック３１とする。
【００７２】
図８、図９で示すように、リーダーブロック３１は、前端３１Ａが櫛歯状に形成されている。すなわち、前端３１Ａには、その高さ方向に沿って略等間隔に所定幅Ｗ１及び所定突出高さＨ１の凸部３１Ｃ（又は所定幅Ｗ２及び所定深さＨ１の凹部３１Ｄ）が複数（図示のものは２つ）形成されている。そして、この凸部３１Ｃが後述するカバー部材７０の凸部７２にカバーされるようになっている。
【００７３】
カバー部材７０は、所定長さ及び所定厚さの板片状に形成され、その高さは前壁１２Ａに沿って上下方向（ケース１２の高さ方向）に所定距離だけスライド可能なように形成されている。そして、カバー部材７０の右端部には、リーダーブロック３１の凹部３１Ｄの幅Ｗ２よりも若干小さい幅Ｗ３で、かつ凹部３１Ｄの深さＨ１よりも若干低い突出高さＨ２の凸部７２が、右方向に向かって１つ、好ましくは凸部３１Ｃと同数、カバー部材７０が最下位置にあるときに、凸部３１Ｃを接触状態又は非接触状態でカバー可能となるような位置に突設されている。
【００７４】
また、カバー部材７０の上面には、トーションばね、板ばね、コイルばね等の付勢部材５０（図１１参照）の一端が取り付けられ、他端が上ケース１４の天板１４Ａの内面に取り付けられている。したがって、カバー部材７０は常時下方に向けて付勢され、その下面が常に下ケース１６の底板１６Ａの内面に当接されている。
【００７５】
また、カバー部材７０の下面略中央には、ドライブ装置側の解除部材１００が当接する当接部７４が形成されている。そして、下ケース１６の底板１６Ａには、その当接部７４が臨む開口１７が穿設されている。なお、上ケース１４の天板１４Ａ及び下ケース１６の底板１６Ａには、カバー部材７０を上下方向（ケース１２の高さ方向）にスライド可能に支持するガイドリブ７８（図１１参照）を立設するのが好ましいが、遊動規制壁５２やリブ５４によってガイドするように構成してもよい。
【００７６】
以上のような構成により、カバー部材７０は、記録テープカートリッジ１０の不使用時において、常時付勢部材５０により下方向へ付勢されて、リーダーブロック３１の凸部３１Ｃを凸部７２でカバーする。したがって、リーダーブロック３１は、記録テープカートリッジ１０の落下等によってケース１２に衝撃が加えられたとしても、そのケース１２からの飛び出し（外れ）が防止される。
【００７７】
また、記録テープカートリッジ１０がドライブ装置に装填されたときには（記録テープカートリッジ１０の使用時には）、下ケース１６の底板１６Ａに穿設された開口１７からドライブ装置側に設けられた解除部材１００が挿入され、カバー部材７０の当接部７４が押圧される。すると、カバー部材７０は、ガイドリブ７８等に支持されつつ付勢部材５０の付勢力に抗して、凸部７２がリーダーブロック３１の凹部３１Ｄと同一高さになるまで（凸部３１Ｃをカバーしない高さになるまで）、上方に押し上げられる。そして、これにより、リーダーブロック３１が開口２０から取り出し可能となる。
【００７８】
なお、解除部材１００が当接部７４を押圧する解除力は、０．５Ｎ〜５Ｎ程度である。また、このカバー部材７０をスライドさせる手段は、下ケース１６の底板１６Ａに穿設された開口１７と、その開口１７に挿入される解除部材１００とに限定されるものではなく、図１０、図１１で示すように、前壁１２Ａに穿設された開口１９と、その開口１９に挿入される解除部材１００とで構成してもよい。
【００７９】
すなわち、カバー部材７０の前壁１２Ａに対面する前面７０Ａの所定位置に凹部７６を形成し、その凹部７６内に側断面視で上側が所定角度の傾斜面とされたカム面７６Ａを形成してもよい。このような構成にすれば、図１１で示すように、ドライブ装置側の解除部材１００がカム面７６Ａを押圧することにより、カバー部材７０を付勢部材５０の付勢力に抗して上方向へスライドさせることが可能となる。
【００８０】
以上、何れにしても、リーダーブロック３１は、不使用時において、その凸部３１Ｃがカバー部材７０の凸部７２によってカバーされるので、記録テープカートリッジ１０を落下させるなどして、ケース１２に衝撃が加えられても、リーダーブロック３１が開口２０から外れるような不具合は生じない。よって、ユーザーにリーダーブロック３１が不用意に外れる心配を抱かせることがない。
【００８１】
また、カバー部材７０は、前壁１２Ａの内側で、かつ前壁１２Ａに沿って上下方向（ケース１２の高さ方向）にスライド可能に設けられているので、ケース１２内において、その設置スペースが多くとられることがなく、ケース１２内のデッドスペースを有効に利用することができる。
【００８２】
更に、カバー部材７０のスライドする距離は、櫛歯状に形成したことにより、リーダーブロック３０の高さを超えることがない。したがって、ケース１２の高さが増加するような不具合も生じない。なお、カバー部材７０の形状、開口１７、１９の形状、解除部材１００の形状等が図示のものに限定されないことは第１実施例と同様である。
【実施例３】
【００８３】
次に、図１２乃至図１５で示す第３実施例を説明するが、第１実施例と同等なものは同じ符号を付して、その説明を省略する。また、作用についても、その主な部分は第１実施例と同様なので、その説明を省略する。この第３実施例では、リーダーブロック３０が前壁１２Ａと平行に配置されている。すなわち、係合リブ４６、４８が前壁１２Ａと平行になるように立設され、嵌合リブ４６Ａ、４８Ａが前壁１２Ａと直交するように（右壁１２Ｂと平行になるように）立設されている。そして、上記したようなカバー部材６０、７０ではなく、リーダーブロック３０の前端３０Ａに所定の圧力で当接し、そのリーダーブロック３０を嵌合リブ４６Ａ、４８Ａと協同して押さえる当接部材８０が設けられている。
【００８４】
当接部材８０は、所定長さ及び所定厚さの板片状であり、その高さは前壁１２Ａの内側の高さよりも若干低く形成されている。また、当接部材８０の右側端面にはリーダーブロック３０の前端３０Ａに当接する凹部８２が形成されている。この凹部８２の形状は前端３０Ａの形状と合致するような形状に形成されるのが好ましく、この場合は平面視円弧状に形成されている。
【００８５】
また、当接部材８０の左側端面にはトーションばね、板ばね、コイルばね等の付勢部材５０の一端が取り付けられており、その付勢部材５０の他端は、下ケース１６（上ケース１４でもよい）に立設されたリブ５４（図１４、図１５参照）に取り付けられている。したがって、当接部材８０は、常時付勢部材５０によって前端３０Ａに当接する方向、即ち右方向へ付勢されている。
【００８６】
また、上ケース１４の天板１４Ａ及び下ケース１６の底板１６Ａには、当接部材８０を左右方向（ケース１２の幅方向）にスライド可能に支持するガイドリブ９０（図１４、図１５参照）が立設されており、そのガイドリブ９０の所定位置には、当接部材８０の左端部にケース１２内（後方）へ向かって突設されたストッパーリブ８４が係合する係合段部９２が形成されている。したがって、当接部材８０は、ストッパーリブ８４が係合段部９２に係合されることにより、右方向へのスライドが規制されるようになっている。
【００８７】
なお、当接部材８０がストッパーリブ８４で規制された位置において、凹部８２が前端３０Ａに対し、所定の圧力で当接するように構成されていることは言うまでもない。また、当接部材８０の下面には、左下がり（右上がり）の傾斜面とされたカム面８６が形成されており、下ケース１６の底板１６Ａには、当接部材８０が最右側にあるときに、そのカム面８６の左端部が臨む開口１７が穿設されている。
【００８８】
以上のような構成により、当接部材８０は、記録テープカートリッジ１０の不使用時において、常時付勢部材５０により右方向へ付勢されて、その凹部８２がリーダーブロック３０の前端３０Ａに所定の圧力で当接する。つまり、リーダーブロック３０は、後端３０Ｂが嵌合リブ４６Ａ、４８Ａに当接し、前端３０Ａが当接部材８０によって右方向へ押圧された状態、即ち嵌合リブ４６Ａ、４８Ａと当接部材８０とで挟持された状態となる。したがって、リーダーブロック３０は、記録テープカートリッジ１０の落下等によってケース１２に衝撃が加えられたとしても、そのケース１２からの飛び出し（外れ）が防止される。
【００８９】
また、記録テープカートリッジ１０がドライブ装置に装填されたときには（記録テープカートリッジ１０の使用時には）、下ケース１６の底板１６Ａに穿設された開口１７からドライブ装置側に設けられた解除部材１００が挿入され、当接部材８０のカム面８６の左端部が押圧される。すると、そのカム面８６は左下がり（右上がり）の傾斜面であるため、解除部材１００はそのカム面８６に沿って相対的に右方向に摺動する。つまり、当接部材８０が付勢部材５０の付勢力に抗して左方向にスライドする。
【００９０】
これにより、リーダーブロック３０の前端３０Ａから当接部材８０の凹部８２が離間され（リーダーブロック３０が解放され）、ケース１２内からリーダーブロック３０が取り出し可能となる。なお、解除部材１００がカム面８６を押圧する解除力は、０．５Ｎ〜５Ｎ程度である。また、この当接部材８０をスライドさせる手段は、下ケース１６の底板１６Ａに穿設された開口１７と、その開口１７に挿入される解除部材１００とに限定されるものではなく、図１４、図１５で示すように、前壁１２Ａに穿設された開口１９と、その開口１９に挿入される解除部材１００とで構成してもよい。
【００９１】
すなわち、当接部材８０の前壁１２Ａに対面する前面８０Ａの所定位置に凹部８８を形成し、その凹部８８内に平断面視で左側が所定角度の傾斜面とされたカム面８８Ａを形成してもよい。このような構成にすれば、図１５で示すように、ドライブ装置側の解除部材１００がカム面８８Ａを押圧することにより、当接部材８０を付勢部材５０の付勢力に抗して左方向へスライドさせることが可能となる。
【００９２】
以上、何れにしても、リーダーブロック３０は、不使用時において、その前端３０Ａが当接部材８０によって右方向へ押圧されて押さえられるので、記録テープカートリッジ１０を落下させるなどして、ケース１２に衝撃が加えられても、リーダーブロック３０が開口２０から外れるような不具合は生じない。よって、ユーザーにリーダーブロック３０が不用意に外れる心配を抱かせることがない。
【００９３】
また、当接部材８０は、前壁１２Ａの内側で、かつ前壁１２Ａに沿って左右方向（ケース１２の幅方向）にスライド可能に設けられているので、ケース１２内において、その設置スペースが多くとられることがなく、ケース１２内のデッドスペースを有効に利用することができる。なお、当接部材８０の形状、開口１７、１９の形状、解除部材１００の形状等が図示のものに限定されないことは第１実施例及び第２実施例と同様である。
【００９４】
本発明に係る第１実施例〜第３実施例は以上の通りであるが、次にリーダーブロック３０で開口２０を閉塞するのではなく、リーダーブロック３０をケース１２の内部に配置し、開口２０をドアで閉塞する場合のリーダーブロック３０とドアとの位置関係について説明する。表１はリーダーブロック３０とドアとの位置関係を纏めたものである。この表１における前壁とは上記前壁１２Ａのことであり、ドライブ装置への装填方向と直交する装填側の周壁のことである。また、右壁とは上記右壁１２Ｂのことであり、ドライブ装置への装填方向と平行な周壁のことである。そして、両壁とは前壁及び右壁のことである。
【００９５】
【表１】
2005071459.tif 000003
【００９６】
この表１において、×１、×２は設計上好ましくないことを表しており、○は設計上好ましいこと、◎は設計上最も好ましいことを表している。すなわち、開口２０が右壁１２Ｂの所定位置に設けられ、ドアが右壁１２Ｂの内側で、かつ右壁１２Ｂと平行にスライドして開口２０を開閉する場合、リーダーブロック３０をどのような姿勢で配置しても、ドライブ装置内での磁気テープＴのテープパス経路が長くなるので、設計上好ましくない。このことが×１で示されている。
【００９７】
また、リーダーブロック３０が前壁１２Ａと平行に配置された場合、開口２０が右壁１２Ｂに設けられないと、つまり、ドアが右壁１２Ｂの内側で、かつ右壁１２Ｂと平行にスライドして開口２０を開閉する構成でないと、開口２０を覆う効率が良くないため、設計上意味がない。このことが×２で示されている。
【００９８】
一方、図１６で示すように、ケース１２がドライブ装置への装填側のコーナー部を平面視で斜めに切り欠いたように形成され、その斜めに切り欠いたコーナー部に開口２０が形成されるとともに、その開口２０を開閉するようにドア９４が配設された場合、リーダーブロック３０は、右壁１２Ｂと平行に配置するか、上記第１、第２実施例と同様に、両壁（前壁１２Ａ及び右壁１２Ｂ）に対して斜めに配置することが好ましい。このような配置にすると、ドア９４の構造が若干複雑になるが、磁気テープＴのテープパス経路が長くならない効果がある。このことが○で示されている。
【００９９】
また、図１７で示すように、開口２０が前壁１２Ａの所定位置に設けられ、ドア９６が前壁１２Ａの内側で、かつ前壁１２Ａと平行にスライドして開口２０を開閉する場合、リーダーブロック３０は、右壁１２Ｂと平行に配置するか、上記第１、第２実施例と同様に、両壁（前壁１２Ａ及び右壁１２Ｂ）に対して斜めに配置することが好ましい。このような配置にすると、ドア９６の構造も簡単で、磁気テープＴのテープパス経路が長くならず、効率よく開口２０を開閉できる。このことが◎で示されており、最も望ましい位置関係となる。
【０１００】
以上、何れにしても、このようなドア９４、９６を設けると、例えば記録テープカートリッジ１０を誤って落下させたとしても、リーダーブロック３０がケース１２から飛び出す（外れる）ような不具合は生じない。つまり、リーダーブロック３０のケース１２からの飛び出し（外れ）をより一層防止することができる。しかも、開口２０の大きさに関係なく、その開口２０を閉塞できるので、記録テープカートリッジ１０における防塵性をより一層向上させることができる。
【図面の簡単な説明】
【０１０１】
【図１】記録テープカートリッジの上方から見た概略斜視図
【図２】記録テープカートリッジの下方から見た概略斜視図
【図３】第１実施例のカバー部材でリーダーブロックをカバーしている様子を示す概略斜視図
【図４】第１実施例のカバー部材が下方から挿入された解除部材によりリーダーブロックを解放した様子を示す概略斜視図
【図５】第１実施例のカバー部材でリーダーブロックをカバーしている様子を示す概略斜視図
【図６】第１実施例のカバー部材が前方から挿入された解除部材によりリーダーブロックを解放した様子を示す概略斜視図
【図７】第１実施例のカバー部材の動作説明図
【図８】第２実施例のカバー部材でリーダーブロックをカバーしている様子を示す概略斜視図
【図９】第２実施例のカバー部材が下方から挿入された解除部材によりリーダーブロックを解放した様子を示す概略斜視図
【図１０】第２実施例のカバー部材でリーダーブロックをカバーしている様子を示す概略斜視図
【図１１】第２実施例のカバー部材の動作説明図
【図１２】第３実施例の当接部材がリーダーブロックに当接している様子を示す概略斜視図
【図１３】第３実施例の当接部材が下方から挿入された解除部材によりリーダーブロックから離間した様子を示す概略斜視図
【図１４】第３実施例の当接部材がリーダーブロックに当接している様子を示す概略斜視図
【図１５】第３実施例の当接部材の動作説明図
【図１６】リーダーブロックとドアとの関係を示す概略平面図
【図１７】リーダーブロックとドアとの関係を示す概略平面図
【図１８】従来のリーダーブロックと外れ防止手段を示す概略斜視図
【図１９】従来のリーダーブロックと外れ防止手段を示す概略説明図
【符号の説明】
【０１０２】
１０  記録テープカートリッジ
１２  ケース
１８  リール
２０  開口
３０  リーダーブロック
６０  カバー部材
７０  カバー部材
８０  当接部材
【図１】
2005071459.tif 000004
【図２】
2005071459.tif 000005
【図３】
2005071459.tif 000006
【図４】
2005071459.tif 000007
【図５】
2005071459.tif 000008
【図６】
2005071459.tif 000009
【図７】
2005071459.tif 000010
【図８】
2005071459.tif 000011
【図９】
2005071459.tif 000012
【図１０】
2005071459.tif 000013
【図１１】
2005071459.tif 000014
【図１２】
2005071459.tif 000015
【図１３】
2005071459.tif 000016
【図１４】
2005071459.tif 000017
【図１５】
2005071459.tif 000018
【図１６】
2005071459.tif 000019
【図１７】
2005071459.tif 000020
【図１８】
2005071459.tif 000021
【図１９】
2005071459.tif 000022